(57)【要約】【課題】誘導柵の意匠形状、或いは取付け位置が決まらなくても中間床組立体の製作を含む設置工事を早く行うことができる新規な乗客コンベアを提供することにある。【解決手段】誘導柵の脚部が挿通できる空間を形成するようにした中間プレート支持部材をランディングプレートの間の下方に位置する夫々の本体フレームに固定して据え付け、この状態で誘導柵の脚部を中間プレート支持部材の間の空間を介して任意の位置で本体フレームと固定する共に、誘導柵の脚部と本体フレームが固定された後に中間プレート支持部材の空間を塞ぐ板状の中間プレートを中間プレート支持部材に取り付けた。誘導柵の取付け位置が決まらなくてもランディングプレート及び中間プレート支持部材を含めて据え付け作業を行え、中間プレートが板状なので誘導柵の脚部の設置位置や形状に合わせて簡単に中間プレートを製作でき、設置工事の期間を短くできる。【選択図】図５
2015009922.tif 000002
【特許請求の範囲】
【請求項１】
並設された乗客コンベアの乗降口にランディングプレートが隣接して配置され、前記ランディングプレートの間で誘導柵の脚部を本体フレームに固定するようにした乗客コンベアにおいて、
前記誘導柵の前記脚部が挿通できる空間を形成するようにした中間プレート支持部材を前記ランディングプレートの間の下方に位置する夫々の前記本体フレームに固定して据え付け、この状態で前記誘導柵の前記脚部を前記中間プレート支持部材の間の前記空間を介して任意の位置で前記本体フレームと固定する共に、前記誘導柵の前記脚部と前記本体フレームが固定された後に前記中間プレート支持部材によって形成された前記空間を塞ぐ板状の中間プレートを前記中間プレート支持部材に取り付けたことを特徴とする乗客コンベア。
【請求項２】
請求項１において、
前記中間プレート支持部材は夫々の前記本体フレームに固定された基礎部材に固定されていることを特徴とする乗客コンベア。
【請求項３】
請求項１或いは請求項２において、
前記中間プレート支持部材には中間プレート載置部が形成されており、この中間プレート載置部に前記板状の中間プレートが載置されることを特徴とする乗客コンベア。
【請求項４】
請求項１乃至請求項３のいずれかにおいて、
前記中間プレートは複数の中間プレートよりなり、隣り合った中間プレートの分割部分は前記誘導柵の前記脚部の形状に切り欠かれた切り欠き部が形成され、この切り欠き部によって前記脚部が挟み込まれていることを特徴とする乗客コンベア。
【請求項５】
請求項１乃至請求項４のいずれかにおいて、
前記中間プレート支持部材には位置調整板が設けられており、この位置調整板は前記中間プレートの側面と接触して前記中間プレートの移動を規制することを特徴とすることを特徴とする乗客コンベア。
【請求項６】
請求項５において、
前記位置調整板の上方先端部は前記中間プレート載置部よりも上方に突出すると共に、前記ランディングプレートの表面と同じ高さに形成されており、前記中間プレート載置部に載置された前記中間プレートの表面は前記位置調整板の上方先端部と同じ高さであることを特徴とすることを特徴とする乗客コンベア。
【請求項７】
請求項６において、
前記中間プレート載置部と前記中間プレートの間には高さ調整用の当板が介装され、これによって前記中間プレートの表面が前記位置調整板の上方先端部と同じ高さに調整されることを特徴とする乗客コンベア。
【請求項８】
請求項１乃至請求項７のいずれかにおいて、
前記中間プレートの表面には前記ランディングプレートと同じ色調、或いは同じ模様が施されていることを特徴とする乗客コンベア。
【発明の詳細な説明】
【技術分野】
【０００１】
本発明は乗客を輸送するエスカレータ装置や電動道路装置等の乗客コンベアに係り、特に、並設された乗客コンベアの乗降口近傍に誘導柵を設置した乗客コンベアに関するものである。
【背景技術】
【０００２】
乗客コンベアとして代表的には、鉄道の駅舎や百貨店等の建屋の各階層をつなぐエスカレータ装置や、空港等で使用される電動道路装置等が良く知られている。この乗客コンベア、例えば、エスカレータ装置にあっては建築構造物に設置された強度部材である本体フレームの長手方向両端部に設けた乗降床間を無端状に連結されて循環移動する踏板、及びこの踏板の移動方向に沿って本体フレームに立設された欄干に設けられ踏板と同期して駆動される移動手摺り等より構成されている。
【０００３】
そして、このようなエスカレータ装置においては、乗客の輸送能力を向上するために複数のエスカレータ装置を上階或いは下階に向けて並設して架け渡す設置方式や、連続してエスカレータ装置を乗り継いでいくために複数のエスカレータ装置を上階方向或いは下階方向に連続して架け渡す設置方式のものが知られている。
【０００４】
ところで、このように複数のエスカレータ装置が並設されたものにおいては利用客を安全にエスカレータ装置に案内するための誘導柵を設置することが義務付けられている。この誘導柵はＪＥＡＳ−５２４（日本エレベーター協会標準集）に示されているように、混雑時に利用客の動線を整理して利用客の移動を円滑に誘導するものである。このような誘導柵を設けたエスカレータ装置としては特開昭６３−１８９３８５号公報（特許文献１）にあるように、所定の長さを有した誘導柵の一方の脚部を各エスカレータ装置のランディングプレートの間の下にある本体フレームに固定し、他方の脚部を建屋の床面に固定するように構成していた。
【先行技術文献】
【特許文献】
【０００５】
【特許文献１】特開昭６３−１８９３８５号公報
【発明の概要】
【発明が解決しようとする課題】
【０００６】
このように並設されたエスカレータ装置において、その乗降口の前側に誘導柵を設置する場合、上述したように誘導柵の一方の脚部をランディングプレートの間の下にある本体フレームに溶接、或いはボルトによって固定し、他方の脚部を建屋の床面にアンカーボルトによって固定するようにしていた。そして、ランディングプレートの間に見える誘導柵の脚部の固定部分を覆い隠すためと、隣り合うランディングプレートの表面を連続的に繋げるために、中間床組立体を各ランディングプレートの間に介装する構成を採用している。
【０００７】
この中間床組立体はランディングプレートの間の空間を埋めるように内部が中空の箱状体に形成されている。更にこの箱状体を２分割し、その対向する分割部に誘導柵の一方の脚部が挿通される挿通孔を形成するための半円形の切り欠きを設けていた。そして、エスカレータ装置を設置した後に誘導柵の意匠形状、設置寸法等が決められ、これに従って誘導柵の脚部を本体フレームと床面に固定し、その後に本体フレームと脚部の固定位置に合わせて脚部の挿通用の切り欠きを形成した箱形状の中間床組立体を製作し、ランディングプレートの間の空間を埋めるように中間床組立体を配置して固定していた。
【０００８】
ところで、エスカレータ装置のランディングプレート、中間床組立体を含む設置工事はエスカレータ装置の設置会社（例えば、エスカレータ装置の製造会社）で取り扱われ、誘導柵の意匠形状、設置寸法等の仕様の決定及びこれの床面への設置工事は建屋の建築会社側で取り扱われるのが一般的である。
【０００９】
このため、ランディングプレートの間の空間を埋める中間床組立体は、建屋側の誘導柵の意匠や取付け位置が決まらないとその寸法、形状等の仕様が定まらず、箱状の中間床組立体の製作を含む設置工事が早期に終了できないものであった。例えば脚部を１本から２本にするといった意匠形状の変更と、これに伴う設置位置の変更があった場合、中間床組立体はこれに合わせて寸法、形状等を変更して製作する必要があった。
【００１０】
したがって、設置工事を行うエスカレータ装置の設置会社から見れば、上述した中間床組立体の製作を含む設置工事が誘導柵の意匠や取付け位置が決まるまでは行えず、エスカレータ装置の設置工事の期間が長くなってしまうという課題があった。尚、このような課題は電動道路装置においても同様に生じるものである。
【００１１】
本発明の目的は、中間床組立体の製作を含む設置工事を早く行うことができる新規な乗客コンベアを提供することにある。
【課題を解決するための手段】
【００１２】
本発明の特徴は、誘導柵の脚部が挿通できる空間を形成するようにした一対の中間プレート支持部材をランディングプレートの間の下方に位置する本体フレームに固定して据え付け、この状態で誘導柵の脚部を中間プレート支持部材の間の空間を介して任意の位置で本体フレームと固定する共に、誘導柵の脚部と本体フレームが固定された後に中間プレート支持部材の空間を塞ぐ板状の中間プレートを中間プレート支持部材に取り付けた、ところにある。
【発明の効果】
【００１３】
本発明によれば、ランディングプレートと中間プレート支持部材を据え付けた状態において、中間プレート支持部材の空間を利用して任意の位置で誘導柵の脚部を本体フレームに固定すると共に、板状の中間プレートによって中間プレート支持部材の空間を塞ぐようにすることで、誘導柵の取付け位置が決まらなくてもランディングプレート及び中間プレート支持部材を含めて据え付け作業を行え、しかも、中間プレートが板状なので誘導柵の脚部の設置位置や形状に合わせて簡単に中間プレートを製作でき、設置工事の期間を短くできるという効果を奏するようになる。
【図面の簡単な説明】
【００１４】
【図１】本発明が適用される乗客コンベアとしてのエスカレータ装置の乗降口近傍を示す斜視図である。
【図２】図１に示したエスカレータ装置の乗降口近傍を上面からみた平面図である。
【図３】図２に示したエスカレータ装置の乗降口近傍を側面からみた側面図である。
【図４】本発明の一実施例になるエスカレータ装置に使用される中間床組立体を構成する中間プレートの上部斜視図である。
【図５】本発明の一実施例になるエスカレータ装置に使用される中間床組立体を取り付けた状態の誘導柵の脚部付近の断面図である。
【図６】本発明の一実施例になるエスカレータ装置に使用される中間プレートを取り付けた状態の誘導柵の脚部付近の上部斜視図である。
【発明を実施するための形態】
【００１５】
以下、本発明の実施形態について図面を用いて詳細に説明するが、本発明は以下の実施形態に限定されることなく、本発明の技術的な概念の中で種々の変形例や応用例をもその範囲に含むものである。
【００１６】
本発明の具体的な実施例を説明する前に、本発明が適用される乗客コンベアの代表例としてエスカレータ装置の乗降口近傍の構成を図１乃至図３に基づいて説明する。尚、図１乃至図３には本実施例に使用される中間プレートも併せて示している。
【００１７】
図１において、二台のエスカレータ装置（乗客コンベア）１、２が並設されており、これらのエスカレータ装置１、２の乗降口が近接して配置されている。このようなエスカレータ装置１、２は、乗客の輸送能力を向上するために複数のエスカレータ装置を上階或いは下階に向けて並設して架け渡す設置方式や、連続してエスカレータ装置を乗り継いでいくために複数のエスカレータ装置を上階方向或いは下階方向に連続して架け渡す設置方式のものが知られている。そして、いずれの設置方式であっても乗降口が近接して配置される構成となっている。
【００１８】
各エスカレータ装置１、２の乗降口には、建屋側床面に連続して繋がるようにランディングプレート３、４が敷設されている。また、両ランディングプレート３、４の表面は床面との間に所定の高さを有しているので、両ランディングプレート３、４の間には隙間（空間）が存在し、この隙間を塞ぐように中間床組立体５が設置されている。そして、この中間床組立体５の表面には中間床組立体５を構成する構成要件の一つである中間プレート６、７、８が設けられており、中間プレート６、７、８は両ランディングプレート３、４の表面と段差がないように形成され、ほぼ均一な平面形状に構成されている。更に、両ランディングプレート３、４や中間プレート６、７、８の表面には、近傍の建屋床面に合わせて適切な色調の色や模様などが施されて化粧プレートとしても良いものである。本実施例では中間プレート６、７、８の表面にはランディングプレート３、４と同じ色調の色、或いは同じ模様が施されるようになっている。
【００１９】
図２及び図３に示すように、両ランディングプレート３、４の間に設置した中間床組立体５を利用して誘導柵９が固定、配置されている（図１では誘導柵９は図示省略している）。つまり、両エスカレータ装置１、２の隣り合った移動手摺り２５、２６の折り返し先端部付近から夫々２００ｍｍ程度離れた位置に誘導柵９が中間床組立体５及び建屋の床面から植立するように配置されている。そして、誘導柵９の一方の脚部、本実施例では２本の脚部９Ａ、９Ｂをランディングプレート３、４の間に下にある強度部材として機能する夫々の本体フレームに溶接、或いはボルトによって固定し、他方の脚部を建屋の床面にアンカーボルトによって固定するようにしている。この誘導柵９はＪＥＡＳ−５２４（日本エレベーター協会標準集）に示されているように、混雑時に利用者の動線を整理して利用者の移動を円滑に誘導するものである。
【００２０】
図４には中間プレート６、７、８を斜め上方からから見た形状を示している。図４からわかるように、中間プレート６、７、８は細長い板状の金属材料から作られており、その長手方向に三分割して形成されている。金属材料としてはステンレス、鋼材等を使用することができるが、これ以外の金属材料を使用することも可能である。
【００２１】
隣り合う中間プレート６と中間プレート７の分割部分には誘導柵９の脚部９Ａを挟み込むために使用する半円形に切り欠かれた切り欠き部が形成されている。中間プレート６には切り欠き部１０が形成され、中間プレート７には切り欠き部１１が形成されている。同様に、隣り合う中間プレート７と中間プレート８の分割部分には誘導柵９の脚部９Ｂを挟み込むために使用する半円形に切り欠かれた切り欠き部が形成されている。中間プレート７には切り欠き部１２が形成され、中間プレート８には切り欠き部１３が形成されている。中間プレート６乃至中間プレート８は、誘導柵９の脚部の本数、位置、形状等が変更になった場合に合わせて新たなものが製作されるものである。
【００２２】
ここで、本実施例では中間プレート６乃至中間プレート８は長手方向の中心線と直交すると共に夫々の脚部９Ａ、９Ｂの中心を通る線に沿って３分割されているが、長手方向の中心線を境に２分割するような形状に形成することもできる。この場合も脚部９Ａ、９Ｂに合わせた形状に切り欠き部を形成すれば良いものである。このような中間プレート６乃至中間プレート８は後述するように、中間床組立体５が据え付けられた後に誘導柵９の意匠形状や設置寸法に合わせて新たに製作されるものである。
【００２３】
次に本実施例の特徴的な構成である中間床組立体５の構成について図５を用いて詳細に説明する。図５はエスカレータ装置１、２の乗降口近傍の誘導柵９の脚部９Ａ或いは脚部９Ｂ付近の断面を示す図である。
【００２４】
図５に示すように、一方のエスカレータ装置１の強度部材である本体フレーム１４Ａには補助強度部材１５Ａが溶接等の固定方法で固定されている。同様に他方のエスカレータ装置２の強度部材である本体フレーム１４Ｂには補助強度部材１５Ｂが溶接等の固定方法で固定されている。尚、補助強度部材１５Ａ、１５Ｂは本体フレーム１４Ａ、１４Ｂと一体的に構成されていても良いものである。本実施例では従来の本体フレームを使用するため補助強度部材１５Ａ、１５Ｂを用いて溶接するようにしている。
【００２５】
これらの補助強度部材１５Ａ、１５Ｂの上面には中間床組立体５を構成する基礎部材１６Ａ、１６Ｂがボルトや溶接等によって固定されている。この基礎部材１６Ａ、１６Ｂは紙面から見て手前側から奥側に向けて延びており、少なくとも図４に示す中間プレート６乃至中間プレート８の長さに亘って延びている。本実施例においては、基礎部材１６Ａ、１６Ｂは強度部材として使用されるＬ型鋼を用いている。基礎部材１６Ａ、１６Ｂは互いに分離された別体で構成されている。
【００２６】
そして、一方の基礎部材１６Ａの水平部１７Ａには調整スペーサ１８Ａを介してエスカレータ装置１側のランディングプレート３が載置されるように構成されている。他方の基礎部材１６Ｂの水平部１７Ｂにも調整スペーサ１８Ｂを介してエスカレータ装置２側のランディングプレート４が載置されるように構成されている。本体フレーム１４Ａ、１４Ｂとランディングプレート３、４の間には、ランディングプレート３、４を乗せるための床枠（図示せず）があり、この床枠は本体フレーム１４Ａ、１４Ｂにボルトによって固定されている。ランディングプレート３、４は床枠に乗せるだけで固定されておらず、エスカレータ装置の乗降口の下にある機械室のメンテナンスを行なうため、ランディングプレート３、４を容易に外せる構造とされている。
【００２７】
また、一方の基礎部材１６Ａの垂直部１９Ａには上側に延びる位置調整板２０Ａを挟んで中間プレート支持部材２１Ａが配置され、ボルト２２Ａによって位置調整板２０Ａ及び中間プレート支持部材２１Ａが基礎部材１６Ａに強固に固定されている。同様に、他方の基礎部材１６Ｂの垂直部１９Ｂには上側に延びる位置調整板２０Ｂを挟んで中間プレート支持部材２１Ｂが配置され、ボルト２２Ｂによって位置調整板２０Ｂ及び中間プレート支持部材２１Ｂが基礎部材１６Ｂに強固に固定されている。中間プレート支持部材２１Ａ、２１Ｂは互いに分離された別体で構成されている。ここで、本実施例では一対の位置調整板２０Ａ、２０Ｂとこれも一対の中間プレート支持部材２１Ａ、２１Ｂはボルト２２Ａ、２２Ｂによって基礎部材１６Ａ、１６Ｂに強固に固定されているが、溶接によってこれらを固定することも可能である。
【００２８】
そして、これらの基礎部材１６Ａ、１６Ｂ、位置調整板２０Ａ、２０Ｂ、中間プレート支持部材２１Ａ、２１Ｂ及び中間プレート６乃至中間プレート８等の構成部材が中間床組立体５を構成している。
【００２９】
更に、一対の中間プレート支持部材２１Ａ、２１Ｂの上部側にはそれぞれ水平方向に延びる一対の中間プレート載置部２３Ａ、２３Ｂが形成されており、これらの中間プレート載置部２３Ａ、２３Ｂは互いに向き合うように対向して形成されている。また、位置調整板２０Ａ、２０Ｂは板状に形成されており、その上方先端部は中間プレート支持部材２１Ａ、２１Ｂに形成された中間プレート載置部２３Ａ、２３Ｂの表面よりよりも上方に突出すると共に、ランディングプレート３、４の表面と同じ高さに形成されている（ここで言う同じ高さとは、厳密に同じ高さである必要はなく、実用上問題ない範囲でほぼ同じ高さである場合も含む）。これによって、中間プレート６乃至中間プレート８の側端面の位置決めを行うことができるようになっている。つまり、この位置調整板２０Ａ、２０Ｂは中間プレート６乃至中間プレート８の側面と接触して中間プレート６乃至中間プレート８の移動を規制する機能を有している。
【００３０】
中間プレート支持部材２１Ａ、２１Ｂの中間プレート載置部２３Ａ、２３Ｂは、同じ高さで対向して配置されており、中間プレート載置部２３Ａ、２３Ｂに高さ調整用の当板２４を介在させてから中間プレート６乃至中間プレート８を載置するようにしている。当板２４と中間プレート６乃至中間プレート８はほぼ同じ幅寸法であり、当板２４と中間プレート６乃至中間プレート８を中間プレート載置部２３Ａ、２３Ｂの上に載せると、対向して配置された位置調整板２０Ａ、２０Ｂの間に嵌め込まれることになる。しかも、中間プレート６乃至中間プレート８の表面はランディングプレート３、４の表面とその高さがほぼ一致しているので、連続した表面とすることができる。更に、中間プレート支持部材２１Ａ、２１Ｂ及び中間プレート載置部２３Ａ、２３Ｂの間には誘導柵９の脚部９Ａ、９Ｂが本体フレーム１４Ａ、１４Ｂに向けて挿通できるように空間が形成されている。
【００３１】
当板２４は中間プレート６乃至中間プレート８と同じ形状にしても良いが、これに限定されずに誘導柵９の脚部９Ａ、９Ｂの設置に障害とならない他の形状であっても良い。また、この当板２４は必ず用いることはなく、中間プレート６乃至中間プレート８の表面の高さをランディングプレート３、４の表面とほぼ一致させることができる場合は、当板２４を省略することができるものである。
【００３２】
そして、エスカレータ装置１、２を据え付ける場合は、先ず、本体フレーム１４Ａ、１４Ｂを建屋に架け渡した後に、本体フレーム１４Ａ、１４Ｂの長手方向両端部に設けられる乗降床（ランディングプレート）間に連結されて循環移動する踏板、本体フレーム１４Ａ、１４Ｂに立設された欄干及び踏板と同期して駆動される移動手摺り２５、２６等が取り付けられるものである。
【００３３】
次に、この据え付けが終了すると、上述したように補助強度部材１５Ａ、１５Ｂの上面に中間床組立体５を構成する基礎部材１６Ａ、１６Ｂが溶接等によって固定されるものである、更に、基礎部材１６Ａ、１６の垂直部１９Ａ、１９Ｂに位置調整板２０Ａ、２０Ｂを挟んで中間プレート支持部材２１Ａ、２１Ｂが配置され、ボルト２２Ａ、２２Ｂによって基礎部材１６Ａ、１６Ｂに強固に固定される。この後に、基礎部材１６Ａ、１６Ｂの水平部１７Ａ、１７Ｂには調整スペーサ１８Ａ、１８Ｂを介してランディングプレート３、４が載置されるものである。これによって、エスカレータ装置１、２の据え付け工事が終了するものである。
【００３４】
そして、このような据え付け状態で、誘導柵９の設置寸法に合わせて誘導柵９の脚部９Ａ、９Ｂを中間プレート載置部２３Ａ、２３Ｂの間の空間を利用して本体フレーム１４Ａ、１４Ｂ側に向けて差し込み、脚部９Ａ、９Ｂと本体フレーム１４Ａ、１４Ｂを溶接することによって相互に固定することができる。ここで、中間プレート載置部２３Ａ、２３Ｂの間の空間は紙面の手前側から奥側に向けて所定の長さに亘って開口されているため、建屋側の誘導柵９の意匠や設置寸法の変更に合わせて誘導柵９の脚部９Ａ、９Ｂの固定位置を、中間プレート載置部２３Ａ、２３Ｂの間の空間の開口範囲内で移動することで任意に決めることができる。
【００３５】
次に、誘導柵９の脚部９Ａ、９Ｂの溶接による固定が終了すると、誘導柵９の脚部９Ａ、９Ｂの設置位置やその形状に合せて板状の中間プレート６乃至中間プレート８を別途製作し、中間プレート載置部２３Ａ、２３Ｂに当板２４を介装して載置、固定することで、脚部９Ａ、９Ｂと本体フレーム１４Ａ、１４Ｂの固定部を覆い隠すことができるようになる。
【００３６】
尚、中間プレート６乃至中間プレート８は中間プレート載置部２３Ａ、２３Ｂへボルトや接着剤を利用して固定しても良いが、中間プレート６乃至中間プレート８を中間プレート載置部２３Ａ、２３Ｂに単に載置するようにしても良いものである。つまり、誘導柵９によってエスカレータ装置１、２の利用者が誘導されているため、利用者が誘導柵９の脚部９Ａ、９Ｂ付近に進入してこの中間プレート６乃至中間プレート８の載置領域に乗る恐れが少ない。このため、中間プレート６乃至中間プレート８は一対の位置調整板２０Ａ、２０Ｂの間に位置する中間プレート載置部２３Ａ、２３Ｂに載せるだけで保持するようにしても良いものである。また、位置調整板２０Ａ、２０Ｂと中間プレート支持部材２３Ａ、２３Ｂは組み立てに先立って一体化させておくと、狭隘部での調整作業が楽になる効果がある。
【００３７】
また、本実施例では中間プレート６乃至中間プレート８は板状であるため、脚部９Ａ、９Ｂの形状や設置位置に合わせて極めて容易に製作することができる。従来のように複雑な形状の中間床組立体を使用することがないので製作に費やす時間を大幅に短縮することが可能となる。
【００３８】
上述した通り、ランディングプレート３、４の間の空間に収納される従来の中間床組立体は、建屋側の誘導柵６の意匠形状や取付け位置が決まらないとその寸法、形状等の仕様が定まらず、中間床組立体の製作、設置工事が早期に終了できないものであった。したがって、設置工事を行うエスカレータ装置の設置会社から見れば、中間床組立体の製作や、これの設置工事が誘導柵９の意匠や取付け位置が決まるまでは行えず、設置工事の期間が長くなってしまうという課題があった。
【００３９】
これに対して、本実施例によれば建屋側の誘導柵９の設置寸法等の仕様が決まらなくても、ランディングプレート３、４と、基礎部材１６Ａ、１６Ｂ、位置調整板２０Ａ、２０Ｂ、中間プレート支持部材２１Ａ、２１Ｂの設置工事を行うことができるものである。つまり、エスカレータ装置１、２が据え付けられた状態で、誘導柵９の設置寸法に合わせて、中間プレート支持部材２１Ａ、２１Ｂに形成された中間プレート載置部２３Ａ、２３Ｂの間の空間の開口範囲内で誘導柵９の脚部９Ａ９Ｂの取り付け位置が任意に決められ、誘導柵９の脚部９Ａ、９Ｂはこの位置で本体フレーム１４Ａ、１４Ｂに溶接することできる。
【００４０】
更に、誘導柵９の仕様が決まった後に板状の中間プレート６乃至中間プレート８を製作して、誘導柵９の脚部９Ａ、９Ｂの固定が終了してから中間プレート載置部２３Ａ、２３Ｂに載置することで誘導柵９の脚部９Ａ、９Ｂと本体フレーム１４Ａ、１４Ｂとの固定部を覆い隠すことができる。そして、中間プレート６乃至中間プレート８は板状であるため、脚部９Ａ、９Ｂの固定位置やその形状に合わせて極めて容易に製作することができ、従来のような複雑な形状の中間床組立体を製作して設置することがないので、中間床組立体の製作を含む設置工事の時間が短縮されるようになるものである。
【００４１】
本実施例によれば、誘導柵９の意匠形状や取付け位置が変更になっても中間プレート載置部２３Ａ、２３Ｂの間の空間の開口範囲内で脚部９Ａ、９Ｂの取り付け位置の融通がきくのでエスカレータ装置側での据え付け作業を進めることができる。また、この変更に合せて板状の中間プレート６乃至中間プレート８を製作し、既に据え付けされている中間プレート載置部２３Ａ、２３Ｂに新たに製作された中間プレート６乃至中間プレート８を取り付けて内部を覆い隠すことができるので効率的に据え付け作業を進めることができるものである。
【００４２】
このようにして据え付けられた誘導柵９の設置状態を図６に示している。図６にあるように、切り欠き部１０乃至切り欠き部１３を有する中間プレート６乃至中間プレート８によって誘導柵９の脚部９Ａ、９Ｂを挟み込むため、誘導柵９の脚部９Ａ、９Ｂが固定された本体フレーム１４Ａ、１４Ｂ等は中間プレート６乃至中間プレート８によって遮蔽されて見えなくなるものである。また、中間プレート６乃至中間プレート８によって誘導柵９の脚部９Ａ、９Ｂを挟み込んだ部分に固定用のボルト等を設けなければ更に美観が保たれるものである。更に、中間プレート６乃至中間プレート８は、その形状が板状であることから容易に製作することができるので、ランディングプレート３、４や乗降口近傍の建屋床面の意匠が決まった後に、これと調和する適切な装飾を施すことによって、乗降口近傍を全体的に調和の取れたデザインとすることができるようになる。
【００４３】
尚、上述した実施例では、誘導柵９は二本の脚部９Ａ、９Ｂを中間プレート６乃至中間プレート８で挟み込んでいるが、誘導柵９の意匠によっては脚部を１本にする構成としても良いことは言うまでもない。
【００４４】
以上述べた通り本発明によれば、誘導柵の脚部が挿通できる空間を形成するようにした一対の中間プレート支持部材をランディングプレートの間の下方に位置する本体フレームに固定して据え付け、この状態で誘導柵の脚部を中間プレート支持部材の間の空間を介して任意の位置で本体フレームと固定する共に、誘導柵の脚部と本体フレームが固定された後に中間プレート支持部材の空間を塞ぐ板状の中間プレートを中間プレート支持部材に取り付けた構成とした。
【００４５】
このような構成によれば、ランディングプレートと中間プレート支持部材を据え付けた状態において、中間プレート支持部材の空間を利用して任意の位置で誘導柵の脚部を本体フレームに固定すると共に、板状の中間プレートによって中間プレート支持部材の空間を塞ぐようにすることで、誘導柵の取付け位置が決まらなくてもランディングプレート及び中間プレート支持部材を含めて据え付け作業を行え、しかも、中間プレートが板状なので誘導柵の脚部の設置位置や形状に合わせて簡単に中間プレートを製作でき、設置工事の期間を短くできるという効果を奏するようになる。
【符号の説明】
【００４６】
１、２…乗客コンベア、３、４…ランディングプレート、６、７、８…中間プレート、９…誘導柵、９Ａ、９Ｂ…脚部、１０、１１、１２、１３…切り欠き部、１４Ａ、１４Ｂ…本体フレーム、１６Ａ、１６Ｂ…基礎部材、１７Ａ、１７Ｂ…水平部、１９Ａ、１９Ｂ…垂直部、２０Ａ、２０Ｂ…位置調整板、２１Ａ、２１Ｂ…中間プレート支持部材、２３Ａ、２３Ｂ…中間プレート載置部、２４…当板、２５、２６…移動手摺り。
【図１】
2015009922.tif 000003
【図２】
2015009922.tif 000004
【図３】
2015009922.tif 000005
【図４】
2015009922.tif 000006
【図５】
2015009922.tif 000007
【図６】
2015009922.tif 000008